(57)【要約】【課題】スライド式の携帯端末において、湿気の侵入をできるだけ阻止できるようにした防湿効果の高い携帯端末を提供する。【解決手段】携帯無線端末１０には、上筐体２０と、下筐体３０と、下筐体３０に対し上筐体２０をスライド移動させる連結部４０と、上筐体２０と下筐体３０とが重合する上筐体２０側の重合面（アッパーカバー２１とアッパーケース２２）及び下筐体３０側の重合面（ロアカバー３１とロアケース３２）において、その重合面の縁部に沿って設けたシール部材６Ａ、６Ｂとを備えている。また、このシール部材６Ａ、６Ｂは、滑動性を有する材質、例えばテフロン材などで形成されている。【選択図】図３
2008306451.tif 000002
【特許請求の範囲】
【請求項１】
表示部を有するととも段差形状により厚みが小さい第１部分および厚みが大きい第２部分を備える第１筐体と、
操作部を有するととも段差形状により厚みが小さい第３部分および厚みが大きい第４部分を備える第２筐体と、
前記第２筐体に対し前記第１筐体をスライド移動させる連結部と、
前記スライド移動した状態で前記第１筐体と前記第２筐体との間に生ずる空隙と、
前記スライド移動した状態で前記第１筐体の下面と前記第２筐体の上面とが重合している位置であって、前記上面または前記下面の少なくともいずれか一方に設けられたシール部材と、
を備えた携帯端末。
【請求項２】
前記シール部材は、前記第２部分と前記第３部分とが重合する部分に設けた請求項１に記載の携帯端末。
【請求項３】
前記シール部材は、前記第１部分と前記第４部分とが重合する部分に設けた請求項１に記載の携帯端末。
【請求項４】
前記シール部材は、滑動性を有する材質で形成されている請求項１〜３のいずれか１項に記載の携帯端末。
【発明の詳細な説明】
【技術分野】
【０００１】
本発明は、第１筐体および第２筐体がほぼ完全に重なる閉状態と、第１筐体および第２筐体を摺動して伸長し互いに一部が重なる開状態とを選択可能な携帯端末に係り、特に湿気などの多い環境での使用に耐え得る或いは湿気などの多い環境での使用に好適な携帯端末に関するものである。
【背景技術】
【０００２】
従来、箱状の上筐体と下筐体とを、連結部によってスライド可能に連結している携帯端末が知られている（例えば特許文献１参照）。
特許文献１に記載の携帯端末では、アッパーケースおよびアッパーカバーを有する上筐体と、ロアケースおよびロアカバーを有する下筐体とを備えており、特に、上筐体の上面に表示部および上操作部を有し、下筐体の上面に下操作部を有している。上下両筐体は、レールおよびガイドからなる連結部によってスライド可能に連結されており、閉状態では両筐体がほぼ完全に重なるため、下操作部は上筐体の下に隠れることになる。一方、両筐体を相対的に移動させると、下筐体の一部の下操作部が現れて開状態となる。
【特許文献１】特開２００５−２４４６７９号公報
【発明の開示】
【発明が解決しようとする課題】
【０００３】
ところで、近年、互いに段差形状を有する第１筐体および第２筐体を積層させることにより、全体を薄型化させたスライド式の携帯端末が提案されている。
ところが、このような携帯端末では、スライド時（伸長時）に第１筐体と第２筐体との間に空隙が形成される構造であるため、この空隙を通じて第１筐体の内部あるいは第２筐体の内部に湿気が侵入し、内部で結露することが考えられる。
【０００４】
本発明は、前述した問題を解決するためになされたもので、スライド式の携帯端末において、湿気の侵入をできるだけ阻止できるようにした防湿効果の高い携帯端末を提供することにある。
【課題を解決するための手段】
【０００５】
本発明の携帯端末は、表示部を有するととも段差形状により厚みが小さい第１部分および厚みが大きい第２部分を備える第１筐体と、操作部を有するととも段差形状により厚みが小さい第３部分および厚みが大きい第４部分を備える第２筐体と、前記第２筐体に対し前記第１筐体をスライド移動させる連結部と、前記スライド移動した状態で前記第１筐体と前記第２筐体との間に生ずる空隙と、前記スライド移動した状態で前記第１筐体の下面と前記第２筐体の上面とが重合している位置であって、前記上面または前記下面の少なくともいずれか一方に設けられたシール部材と、を備えている。
【０００６】
また、本発明の携帯端末は、前記シール部材は、前記第２部分と前記第３部分とが重合する部分に設けたものである。
【０００７】
さらに、本発明の携帯端末は、前記シール部材は、前記第１部分と前記第４部分とが重合する部分に設けている。
【０００８】
さらに、本発明の携帯端末は、前記シール部材が滑動性を有する材質で形成されている。
【発明の効果】
【０００９】
本発明は、第１筐体と第２筐体とが重合する第１筐体側の重合面あるいは第２筐体側の重合面の縁部にシール部材を設けたので、スライド時に第１筐体と第２筐体との間に形成される空隙を通じて第１筐体の内部あるいは第２筐体の内部に侵入する湿気を阻止でき、防湿効果の高い携帯端末携帯端末を提供できる。
【発明を実施するための最良の形態】
【００１０】
以下、本発明の実施形態の携帯端末について、図面を用いて説明する。
図１および図２に示すように、本発明の実施形態に係る携帯無線端末１０は、矩形箱状で一部が開口した第１筐体である上筐体２０と、同様に矩形箱状一部が開口した第２筐体である下筐体３０と、上筐体２０および下筐体３０をほぼ完全に重なり合う位置までスライド可能に連結する連結部（レール部を構成する）４０（図３又は図４参照）と、上筐体２０に設けた第１シール部材６Ａ及び第２シール部材６Ｂと、を備えている。
【００１１】
上筐体２０は、第２部分である側端部（前端）２０Ｆの厚さＨＵ１（図４（Ｂ）参照）を第１部分である反対側端部（後端）２０Ｒの厚さＨＵ２（図４（Ｂ）参照）より厚くした段差形状となっている。
すなわち、上筐体２０は、厚みが小さい第１部分である反対側端部（後端）２０Ｒと、厚みが大きい側端部（前端）２０Ｆとにより段差形状となっている。
【００１２】
上筐体２０には、上面に、液晶表示部用の表示窓２３、ナビ操作部２４、レシーバ用切欠き２５、および自分撮りカメラ用穴２６等が設けられている。なお、図３〜図５に示すように、ナビ操作部２４の下側にはキーシート２４ａが設けられており、キーシート２４ａの下側にはキーシート２４ａを支持する支持板２４ｂが設けられている。一方、下筐体３０には、キー操作部である主操作部３３等を上面に、電池カバー３５等を下面（底面）に設けている。
【００１３】
図５に示すように、上筐体２０は、この上筐体２０の全面を占める大きさの平面的な枠状に形成したアッパーカバー２１と、上部が開口した箱状のアッパーケース２２とを有しており、アッパーケース２２の開口を覆うようにして上端部どうしを一致させるような状態でアッパーカバー２１が取付けられている。
【００１４】
図５、６に示すように、アッパーケース２２は、アッパーカバー２１よりも短尺に形成されている。具体的には、携帯無線端末１０の上筐体２０と下筐体３０とが完全に重なり合った状態（以下、「閉状態」とよぶ）から解放されて一部開いた状態（以下、「開状態」とよぶ）のときに、下面が露出する程度の大きさを有している。
【００１５】
図５に示すように、下筐体３０は、この下筐体３０の全面を占める大きさで一面が開放（開口）した矩形箱状のロアケース３２と、ロアケース３２の一部である後端部付近のみを覆うロアカバー３１とを有している。
【００１６】
このうち、ロアカバー３１には、複数のキー３３ａを有する主操作部３３（図１参照）が操作可能な操作部用窓３４などを有している。図３〜図５に示すように、主操作部３３には、複数のキー３３ａの下側にキーシート３３ｂが設けられているとともに、キーシート３３ｂの下側には支持板３３ｃが設けられており、この支持板３３ｃがキーシート３３ｂを支持している。
一方、ロアケース３２は、第４部分である側端部（後端）３０Ｒの厚さＨＬ１（図４（Ｂ）参照）を第３部分である反対側端部（前端）３０Ｆの厚さＨＬ２より厚くした段差形状となっている。
すなわち、下筐体３０は、厚みが小さい第３部分である反対側端部（前端）３０Ｆと、厚みが大きい第４部分である側端部（後端）３０Ｒとにより段差形状となっている。
【００１７】
また、図５において、ロアケース３２の開放（開口）した面である内側面の両側部には、スライド方向に沿って係合部を構成する図示外のガイド溝が設けられている。このガイド溝には、上筐体２０に設けられている図示外のガイド爪が常時係合しており、上下筐体２０、３０をスライド可能に支持している。
【００１８】
このように構成された本実施形態の携帯無線端末１０では、図２（Ａ）に示すように、上筐体２０と下筐体３０とがほぼ完全に重なった閉状態では、（下筐体３０に設けられている）主操作部３３は、完全に隠れており、図１（Ａ）に示すように、上筐体２０および下筐体３０をスライドさせて伸張した開状態にすることにより現れて操作可能となる。
【００１９】
図３（Ｂ）及び図４（Ｂ）に示すように、上筐体２０のアッパーカバー２１とアッパーケース２２で形成される内部空間には、上筐体２０および下筐体３０をスライド可能に支持する連結部４０が取り付けられている。連結部４０は、レール部分を構成するスライドレール４１と、この下にスライド可能に連結したスライドベース４２とを備えている。
【００２０】
このうち、スライドレール４１は、図５に示すように、上筐体２０に取り付けられており、スライドレール４１の上面には上回路基板５１が取付けられている。本実施形態のスライドレール４１は、ネジ４１ａによって上回路基板５１を介してアッパーカバー２１に締結されるのと同時に、ネジ４１ｂによって上回路基板５１に締結されている。
【００２１】
また、スライドレール４１をスライド可能に支持するスライドベース４２は、下筐体３０に取り付けられており、スライドベース４２の下面には下回路基板５２が取り付けられている。従って、連結部４０を構成するスライドレール４１およびスライドベース４２は、上回路基板５１および下回路基板５２によって挟まれる構造となる。
【００２２】
一方、図５に示すように、下筐体３０におけるロアカバー３１とロアケース３２との間には、連結部４０の一部を構成する前述したスライドベース４２が取付けられている。このスライドベース４２は、ネジ４２ａによってロアカバー３１とロアケース３２との間に固定されると共に、ネジ４２ｂによってロアケース３２に下回路基板５２と一体の状態で固定されている。
【００２３】
図３、図４及び図５に示すように、第１シール部材６Ａは、上筐体２０の下面であるアッパーケース２２の外面側と下筐体３０の下面であるロアケース３２との間をシールするものである。本実施形態の第１シール部材６Ａは、（下筐体３０の）ロアケース３２の内面側と重合する部分であって、（上筐体２０の）アッパーケース２２の外面側の縁部に沿って設けている。
すなわち、第１シール部材６Ａは、上筐体２０の厚みが大きい第２部分である側端部（前端）２０Ｆと、下筐体３０の厚みが小さい第３部分である反対側端部（前端）３０Ｆとのうちの、上筐体２０の側端部（前端）２０Ｆの下面に設けられている。
【００２４】
本実施形態の第１シール部材６Ａは、滑動性を有する材質（若しくは摺動性の良好な材質）、例えばテフロン樹脂で形成されており、両面テープ若しくは適宜の接着剤でアッパーケース２２に固着されている。これにより、上筐体２０のアッパーケース２２と下筐体３０のロアケース３２との間の隙間をシールするのと同時に、上下の筐体２０、３０の間での開閉動作も滑らかに行えるようになっている。
【００２５】
第２シール部材６Ｂは、上筐体２０の上面であるアッパーカバー２１の内面側と下筐体３０の上面であるロアカバー３１との間をシールするものである。本実施形態の第２シール部材６Ｂは、（下筐体３０の）ロアカバー３１の外面側と重合する部分であって、（上筐体２０の）アッパーカバー２１の内面側の縁部に沿って設けられている。
すなわち、第２シール部材６Ｂは、上筐体２０の厚みが大きい第２部分である反対側端部（後端）２０Ｒと、下筐体３０の厚みが大きい第４部分である側端部（後端）３０Ｒとのうちの、反対側端部（後端）２０Ｒの下面に設けられている。
【００２６】
本実施形態の第２シール部材６Ｂも、第１シール部材６Ａと同じ滑動性を有する材質（若しくは摺動性の良好な材質）、例えばテフロン樹脂で形成されており、両面テープ若しくは適宜の接着剤でアッパーカバー２１に固着されている。これにより、第２シール部材６Ｂは、第１シール部材６Ａと協同して、上筐体２０のアッパーカバー２１と下筐体３０のロアカバー３１との間の隙間をシールするのと同時に、上筐体２０と下筐体３０との間の開閉動作を滑らかに行えるようになっている。
【００２７】
また、特に、この第２シール部材６Ｂは、上筐体２０のアッパーカバー２１に固着されているが、下筐体３０のロアカバー３１には複数のキー３３ａを有する主操作部３３が設けてある。このため、シール性を高めてあると、上筐体２０と下筐体３０との間の開閉動作の際に、第２シール部材６Ｂが複数のキー３３ａに接触・摺動する虞があるが、この摺動動作によって複数のキー３３ａのクリーニング動作を行う機能を付与することもできる。
【００２８】
また、密閉性を高めるために、第２シール部材６Ｂが複数のキー３３ａに対して過度に摺動するような構成とする場合には、上筐体２０と下筐体３０との間の開閉動作の開始の際にキー３３ａを有する主操作部３３の作動を停止状態にロックさせるように主操作部３３の動作を制御するような構成としてもよい。そして、特に開動作を行う場合には、開動作の完了に合わせて、主操作部３３のキー３３ａが作動可能なロック解除状態になるように、主操作部３３の動作を制御するような構成とすればよい。
【００２９】
従って、本実施形態によれば、開動作で上筐体２０と下筐体３０との間の空隙が形成される構成を有するスライド式の携帯無線端末１０において、双方の筐体２０、３０の隙間が第１シール部材６Ａ及び第２シール部材６Ｂによって効果的にシールされている。また、上下の筐体２０、３０の開動作の際に、その隙間からの空気の流入が可及的に抑制される。そのため、湿気の多い環境下や、湿気の多い季節での使用においても、筐体内部への空気の流入が阻止され、湿気に伴う筐体内部でのカビやさびの発生が防止できるとともに、電子部品や電気配線部分などでのショートなどのトラブルの発生も防止できる。その結果、品質や信頼度が向上するとともに、安全性や耐久性も向上する。
【００３０】
なお、本発明は上述した実施形態に何ら限定されるものではなく、その要旨を逸脱しない範囲において種々の形態で実施し得るものである。
即ち、本発明のシール部材では、第１、第２シール部材を設けたが、良好な効果が得られるようであれば、いずれか一方だけにシール部材を配設させるようにしてもよい。また、これらの第１、第２シール部材は、同様の効果を奏するようであれば、下筐体側に設置してもよい。
【産業上の利用可能性】
【００３１】
以上のように、本発明によれば、第１筐体と第２筐体とが重合する第１筐体側の重合面及び第２筐体側の重合面のうち、少なくともいずれかの重合面の縁部にシール部材を設けたので、湿気の侵入をできるだけ阻止して防湿効果を高めることができ、品質や信頼度が向上するとともに安全性や耐久性も向上するので、例えば、いろいろな場所へ持ち運んで使用することが多い、携帯電話機、ＰＤＡ、モバイル型のＰＣ、ノート型ＰＣなどのようなスライド可能な小型電子機器に適用するのに好適である。
【図面の簡単な説明】
【００３２】
【図１】（Ａ）は本発明の実施形態にかかる開状態の携帯無線端末を上方から見た斜視図、（Ｂ）は下方から見た斜視図である。
【図２】（Ａ）は本発明の実施形態にかかる閉状態の携帯無線端末を上方から見た斜視図、（Ｂ）は下方から見た斜視図である。
【図３】（Ａ）は開状態の携帯無線端末の平面図、（Ｂ）は同図（Ａ）におけるＢ−Ｂ位置での断面図である。
【図４】（Ａ）は閉状態の携帯無線端末の平面図、（Ｂ）は同図（Ａ）におけるＢ−Ｂ位置の断面図である。
【図５】上筐体および下筐体を下筐体側から見た分解斜視図である。
【図６】本発明の実施形態にかかる携帯無線端末の上筐体の分解斜視図である。
【図７】本発明の実施形態にかかる携帯無線端末の下筐体の分解斜視図である。
【図８】上、下筐体の係合状態を示すものであり、（Ａ）は図４のVIIIＡ-VIIIＡ線断面図、（Ｂ）は図３のVIIIＢ-VIIIＢ線断面図である。
【符号の説明】
【００３３】
１０  携帯無線端末
２０  上筐体（第１筐体）
２１  アッパーカバー（重合面）
２２  アッパーケース（重合面）
２３  液晶表示部用の表示窓
２４  ナビ操作部
３０  下筐体（第２筐体）
３１  ロアカバー（重合面）
３２  ロアケース（重合面）
３３  主操作部
３３ａ  キー
４０  連結部（レール部）
６Ａ  第１シール部材（シール部材）
６Ｂ  第２シール部材（シール部材）
【図１】
2008306451.tif 000003
【図２】
2008306451.tif 000004
【図３】
2008306451.tif 000005
【図４】
2008306451.tif 000006
【図５】
2008306451.tif 000007
【図６】
2008306451.tif 000008
【図７】
2008306451.tif 000009
【図８】
2008306451.tif 000010